(57)【要約】  弾性抵抗コードトレーニングシステムのためのハンドルは、ハンドルフレームの第１の端に隣接するハンドルフレーム上にあるグリップを含む。ベースはハンドルフレームの第２の端に隣接するハンドルフレーム上に備えられ、１本または複数のコードチャネルを有する。ゲートはハンドルフレーム上で、コードチャネルから実質的に離間している開放位置からコードチャネルを覆う閉鎖位置に移動可能またはスライド可能である。ゲートが開放位置にある状態で、コードを手早く及び容易に取外し、交換することができる。【選択図】図２
2015519113.tif 000002
【特許請求の範囲】
【請求項１】
ハンドルフレームと、
前記ハンドルフレームの第１の端に隣接する前記ハンドルフレーム上のグリップと、
前記ハンドルフレームの第２の端に隣接する前記ハンドルフレーム上にあり、１本または複数のコードチャネルを有するベースと、
前記ハンドルフレーム上で前記コードチャネルから実質的に離間している開放位置から前記コードチャネルを覆う閉鎖位置に移動可能なゲートと、
を備える、弾性コード抵抗運動器具のためのハンドル。
【請求項２】
前記ゲートが、前記ハンドルフレームに設けられた左右のサイドゲートスロット内に延在する左右のサイドアームを備える請求項１記載のハンドル。
【請求項３】
前記ゲートが、前記コードチャネルのそれぞれに整列するコード溝を備える請求項１記載のハンドル。
【請求項４】
前記ベースが、前記コードチャネルのそれぞれの間に仕切り板、前記ゲートの内面に各仕切り板と整列する肩部を備える請求項１記載のハンドル。
【請求項５】
前記ハンドルフレーム上に前記ゲートに設けられた凹部に係合可能な戻り止めアームをさらに備える請求項１記載のハンドル。
【請求項６】
前記コードチャネルが円錐形の先細り部を有する請求項１記載のハンドル。
【請求項７】
前記ゲートが前記コードチャネルの中心軸にほぼ平行な方向にスライド可能な請求項１記載のハンドル。
【請求項８】
ハンドルフレームと、
前記ハンドルフレーム上にあるグリップと、
前記フレーム内の、開口した上部を有する少なくとも１本のチャネルと、
前記少なくとも１本のチャネルの上方にスライドするように前記ハンドルフレームに取付けられたゲートを備える弾性コード抵抗運動器具のためのハンドル。
【請求項９】
第１及び第２のハンドルアセンブリを備える弾性コード抵抗運動器具であって、
前記第１及び第２のハンドルアセンブリのそれぞれが、
ハンドルフレームと、
前記ハンドルフレーム上にあるグリップと、
前記フレーム内の、開口した上部を有する少なくとも１つのチャネルと、
前記少なくとも１本のチャネルの上方にスライドするように前記ハンドルフレームに取付けられたゲートと、
中空の弾性コードであって、前記コードの第１の端に第１のプラグ、前記コードの第２の端に第２のプラグを有し、前記第１のハンドルアセンブリのチャネルに前記第１のプラグ、前記第２のハンドルアセンブリのチャネルに前記第２のプラグを備える中空の弾性コードと、を含む、
弾性コード抵抗運動器具。
【請求項１０】
前記第１と第２のハンドルアセンブリのチャネルが、円錐台部分を有する請求項８記載の運動器具。
【請求項１１】
前記第１及び第２のハンドルアセンブリの前記ゲートが、前記弾性コードが前記第１及び第２のハンドルにより引き付けられている閉鎖位置から、前記弾性コードを前記ハンドルから取り除くことができる開放位置に移動可能な請求項８記載の運動器具。
【請求項１２】
抵抗運動器具ハンドルを、コードの反対端に隣接する前記コード内部に永久的に固定された先細りのプラグを有する抵抗運動器具弾性コードに取り付ける方法であって、
前記ハンドル上にあるゲートを閉鎖位置から開放位置に移動させること、
前記コードの第１の端を、前記コードが前記チャネルに対して鋭角をなすように前記ハンドルのチャネルを通って挿入させること、
前記ゲートを閉鎖位置に戻すことを含む方法。
【請求項１３】
前記プラグを前記ゲートと前記チャネルとの間に取り付けるために、前記コードを引っ張ることをさらに含む請求項１２記載の方法。
【請求項１４】
前記チャネルがチャネル軸を有し、前記チャネル軸にほぼ平行な方向に前記ゲートをスライドさせて前記ゲートを動かすことをさらに含む請求項１２に記載の方法。
【発明の詳細な説明】
【技術分野】
【０００１】
本発明の分野は、弾性抵抗コードハンドル及びトレーニングシステムである。弾性抵抗コードトレーニングシステムは、より一般的には肉体運動、そして運動トレーニングに広く利用されている。これらの器具またはシステムはハンドルを有し、このハンドルは１本または複数の弾性コードに取り付けられている。ハンドルは、通常は成形プラスチックで形成される堅牢なハンドルであってよい。あるいは、通常はナイロン、帆布または同様の生地、または編組状素材で形成される柔軟なストラップ状のハンドルであってよい。ハンドルは、使用者の手に握られるように、そして／または、使用者の足の上、または、固定された物体の上に置かれるように設計されている。
【背景技術】
【０００２】
より広く利用されている弾性抵抗コードトレーニングシステムでは、コードの数及び種類を迅速に変えることが可能である。これにより、使用者は、手早くかつ容易に所望するシステムの抵抗に調整することができる。ハンドルの構造における技術的な課題は、迅速かつ容易なコードの除去及び設置を可能にするだけでなく、システムの使用時にハンドルにコードの端が確実に取り付けられるハンドルを提供することである。
【発明の概要】
【０００３】
第１の態様において、弾性抵抗コードトレーニングシステムのためのハンドルは、ハンドルフレームの第１の端に隣接するハンドルフレーム上にあるグリップを含む。ベースはハンドルフレームの第２の端に隣接するハンドルフレーム上に備えられ、１本または複数のコードチャネルを有する。ゲートはハンドルフレーム上で、コードチャネルから実質的に離間している開放位置からコードチャネルを覆う閉鎖位置に移動可能またはスライド可能である。
【０００４】
第２の態様において、ゲートは、ハンドルフレームに設けられた左右のサイドゲートスロット内に延びて入り込む左右のサイドアームを備える。ゲートはまた、コードチャネルのそれぞれに整列するコード溝を備えることができる。ベースは、コードチャネルのそれぞれの間に仕切り板、ゲートの内面に各仕切り板と整列する肩部を選択的に備えることができる。
【０００５】
第３の態様において、ハンドルフレームの戻り止めアームは、ゲートの凹部に係合可能である。
【０００６】
図面において、同一の要素番号は各図において同じ要素を示している。
【図面の簡単な説明】
【０００７】
【図１】弾性抵抗コードトレーニングシステムのためのハンドルの正面斜視図で、ハンドル上のゲートが閉鎖位置にある状態を示している。
【図２】図１のハンドルの正面斜視図で、ハンドル上ゲートが開放位置にある状態を示している。
【図３】図２に示すハンドルの拡大正面斜視図である。
【図４】図２及び図３に示すハンドルの背面斜視図である。
【図５】図１に示すハンドルの底下部斜視図である。
【図６】図１及び図２に示すハンドルの上部及び側部の分解斜視図である。
【図７】弾性抵抗コードトレーニングシステムのためのハンドルの第２実施例の正面斜視図で、ハンドル上のゲートが閉鎖位置にある状態を示している。
【図８】図７のハンドルの正面斜視図で、ゲートが開放位置にある状態を示している。
【図９】図８に示すハンドルの後面斜視図である。
【図１０】図８及び図９に示すハンドルの上部斜視図である。
【図１１】弾性抵抗コードトレーニングシステムのためのハンドルの第３実施例の正面斜視図で、ハンドル上のゲートが閉鎖位置にある状態を示している。
【図１２】図１１に示すフレームの上部斜視図で、ゲートが開放位置にある状態を示している。ストラップは説明のために省略されている。
【図１３】図１２の線１３−１３に沿って切り取られた斜視図である。
【図１４】図１２に示すフレームの上部斜視図である。
【図１５】第４実施例の斜視図で、ゲートが閉鎖位置にある状態を示している。
【図１６】図１５のハンドルの斜視図で、ゲートが上位置にある状態を示している。
【図１７】図１５のハンドルの斜視図で、ゲートが部分的に開放位置にある状態を示している。
【図１８】図１５のハンドルの斜視図で、ゲートが完全に開放位置にある状態を示している。
【図１９】図１５のハンドルの斜視図で、説明のためにゲートが取り除かれている。
【図２０】第５実施例の斜視図で、ゲートが閉鎖及びロック位置にある状態を示している。
【図２１】図２０のハンドルの斜視図で、ゲートが閉鎖及びロック解除位置にある状態を示している。
【図２２】図２０のハンドルの斜視図で、ゲートが部分的に開放位置にある状態を示している。
【図２３】第６実施例の斜視図である。
【図２４】図２３に示すハンドルのフレームの断面図である。
【図２５】図２３に示すハンドルの２つから成る弾性コードトレーニングシステムの正面図及び両端がハンドルに固定されている１本の弾性コードを示す。
【図２６】図１から図６に示すハンドルの斜視図であり、説明のために、３本の異なるタイプの弾性コードを保持し、ゲートが開放位置にある状態を示している。
【図２７】図２６のハンドルの斜視図で、ゲートが閉鎖位置にある状態を示している。
【発明を実施するための形態】
【０００８】
図１と図２に示すように、弾性抵抗トレーニングシステムのためのハンドル２０は、フレーム２２上に移動可能なゲート２４を備える。フレームは、ベース部４２の両側部に取り付けられた離間した第１と第２のアーム３６を有する。アーム３６の外端または固定されていない自由な端は、丸みを帯びた端３８を有してもよい。ローラー２６のようなグリップがアーム３６に取り付けられている。この取り付けは、それぞれに向かって内向きに伸びるアーム３６の外端上にある軸スタブ４０の間に延びる軸２８を介してなされ、ローラー２６は軸２８及び／または軸スタブ４０に支えられている。ローラー２６はこの構造において、フレーム２２に回転可能に取り付けることができる。
【０００９】
図２及び図３に関して、ベース部４２には、１本または複数のコードチャネルまたは位置５４が設けられる。図１から図６は３本のコードチャネルを有する例を示している。その他の構造として１本、２本、４本、５本、６本、またはそれより多い本数のコードチャネルを有することができる。図３に示すように、仕切り板５８は隣り合うコードチャネル５４を分離する。仕切り板５８は、先細部６２、例えば、円錐状の先細部へつながる下方の直壁円筒部６０を有してもよい。仕切り板６８の間にあるベース部４２の内面５２も同様に円錐状の先細部を有してもよい。ベース部４２の外側または背面壁５６は、若干湾曲させることができる、選択的にゲート２４の上面または外面７０の湾曲に合わせることができる。仕切り板５８も同様に平らな上面６８にしてもよい。ここで一時的に図６を参照すると、仕切り板延長部６４は仕切り板５８からベース部４２の上端まで伸張できる。
【００１０】
ゲートは、図１及び図５に示す閉鎖位置から図２から図４に示す開放位置にスライド可能であるという特徴を有している。様々なスライド機能を使用することができる。示される例では、ゲートは、ゲートアーム７６を有し、このゲートアーム７６は、ベース部４２の両側部にあるゲートスロット４４に延びて入り込む。図４を参照すると、各ゲートアーム７６は、垂直部分８０につながる水平部分７８を有し、水平部分７８の内面に溝８２を有することができる。ブロック開口部または穴８６をゲート２４の上端部に隣接する溝８２に設けることができる。ゲートスロット４４の中のスロット壁４６に形成された、または、取り付けられた戻り止めアーム４５の端にある戻り止めブロック４７は、外側に弾かれてゲートのブロック開口部８６に入り込むようになっており、これによりゲート２４が解放位置又は閉鎖位置に固定される。図４から図６に示すように、ゲートは、底面または内面にコード肩９４により分離されるコード溝９２を備えることができる。
【００１１】
図７から図１０は、図１から図６で示されるハンドル２０の３本のコードチャネル５４とは対照的に、１本のコードチャネル５４を備える第２のハンドルの構造１００を示している。ハンドル１００はハンドル２０と同様であり、フレーム１０２とゲートアーム１０６を有するゲート１０４を備えている。この構造では、ゲートアーム１０６は、図１から図６のＺまたはＬ形状のゲートアーム７６とは異なり、ゲート上で外向きに延びるタブまたは出っ張りとなっている。コードチャネル５４の底端または外端に縁１０８を設けることができる。ハンドル１００は１本のコードを保持するため、細いベース部１１０を有している。
【００１２】
図１１から図１４は、柔軟なストラップまたはループ状ハンドル１３０を用いて使用する場合に適用されるフレーム１２２を有する別のハンドル１２０を示している。フレーム１２２は、ストラップ１３０がフレーム１２２に確実に取り付けられることを可能にするストラップスロット１２６を有する。ストラップ１３０の端はストラップスロット１２６を通り抜け、その後縫い付け、リベット留め、結びつけ、または別の方法で、ほぼ永久的にストラップがフレームに取り付けられるように、ストラップに付着させることができる。あるいは、１本のストラップが１つ目のスロットを下から上に抜け、（ストラップがゲート１０４の後方にくるように）フレーム１２２を横切り、２つ目のスロットを通り抜けるようにしてもよい。その後、ストラップの固定されていない自由な両端は、必要に応じて様々な種類のバックル、着脱が容易なクリップなどのストラップ長さ調節具またはストラップ端取付け装置を介して、互いに付着させてもよい。これにより、ストラップの長さが調節可能になり、また、ストラップ１３０を容易にかつ確実に固定された物体に取り付けることが可能になる。
【００１３】
図７は、ハンドル１００に固定されているコード１４０を示している。コード１４０は通常、各端にプラグを有する中空の弾性コードである。プラグは、当技術分野で周知のとおり、通常円錐状に先細りとなっているため、内向きの円錐状の膨らみ箇所がコード１４０の両端にくる。あるいは、プラグに円錐状の膨らみの代わりに、球状の膨らみを持たせることもできる。使用時は、コード１４０の一端をハンドル２０に取り付けるために、ゲート２４は押し上げられ、図１の閉鎖位置から図２から図４に示す開放位置になる。ゲートアーム７６はゲートスロット４４の中にスライドする。完全に開いた位置で、ゲート２４の表面はベース部４２の留め具５５に到達している。留め具５５は、ゲートが端までスライドしてハンドルフレーム２２から外れてしまうのを防ぐ。ゲート２４が開放位置にある状態で、コードチャネル５４は開放され使用できる状態にある。コードのどちらの端でもコードチャネルを通って装着されてよい。ゲートが開いた状態で、チャネルを通してプラグが付いたコードの端を動かすのに十分な空間ができる。その後、同じ手順で、コードの他方の端を第２のハンドルに取り付ける、弾性抵抗コードトレーニングシステムまたは器具を形成する。図１から図６に示すハンドル２０に関して、１本、２本、あるいは３本のコード１４０を使用することができる。
【００１４】
コードがチャネル５４を通り抜ける、またはチャネル５４に入り込んだ後、ゲート２４は押し下げられ、閉鎖位置に戻される。図５に示すように、ゲートの肩部９４が仕切り板５８の上方に移動する。ゲート２４の内面上にある溝９２は、ベース部４２の表面５２と共に、コードの端の膨らみ部分周辺で円錐状に先細りしたホルダーを形成してもよい。そうすることで、強い力がかかってもコード１４０が引っ張られてハンドルから抜けることがない。コードにかかる張力は表面５２、６２、９２に分散されるので、コード及びハンドルにかかるストレスは軽減される。ハンドルにある球状ソケット内に納まる球状の膨らみを有するコードを使用することで同様の結果が得られる。また、先細のホルダーやソケットを用いずにハンドル内のコードの両端を固定することも可能である。この場合、図１０に示すように、簡易的な壁あるいは縁１０８により、コードが通り抜けるハンドルの開口部を、コードの膨らみの形状にかかわらず、コードの膨らみよりも小さいサイズにすることができる。
【００１５】
コードが使用され張力がかかっているとき、引張力はゲートが閉鎖位置に保たれるよう作用する。図２及び図５に示すように、ゲートの下部端５０はベース部４２のゲート留め具５５まで到達し、ゲートがハンドルフレーム２２から引き出されてしまうのを防ぐ。ゲートが閉鎖位置にある状態の場合、戻り止めブロック４７がゲート２４の両側のブロック開口部８６に入り込む。これにより、ゲートが閉鎖位置にある状態のときは常にゲートに保持力がかかる。
【００１６】
ハンドル２０、１００または１２０は、異なるバネ定数及び／または長さを有するコードの組み合わせと共に、キットという形で提供されてもよい。弾性抵抗コードトレーニングシステムは、２つの同じハンドル、異なる２つのハンドル、またはハンドルの組み合わせ、及び各種類のハンドルに取付け可能な１本または複数のコードを有することができる。トレーニングシステムは、当技術分野で周知のとおり、使用者がそれぞれの手に１つのハンドルを握って外側に引きコードを伸ばすことで、使用者の腕を鍛えたり調子を整えたりすることができる。その他の身体部分についても、当技術分野で周知のとおり、１つのハンドルを片足の下または上に置き、もう１つのハンドルを手で引くことにより同様に訓練または調整をすることができる。
【００１７】
図７から図１２に示す構造も上述と同様に作用する。ゲートはコード１４０が手早くかつ容易にハンドルから取り外され、異なる長さまたは弾性特徴を持つ別のコードに置き換えることを可能にする。同時に、ハンドルもまたコードの両端に確実に取り付けられるので、使用中にコードがハンドルから不意に離れてしまうことがない。
【００１８】
図１５から図１９は、ハンドルフレーム１５２上に、スライドするゲートの代わりに旋回するゲート１５４を有する第４の実施例１５０を示す。フレームに備えられ、ゲート１５４の第１側面すなわち左側面にあるヒンジタブ１５６の中を通るピン１６２を介して、ゲート１５４はフレーム１５２に枢動可能に取り付けられている。１つまたは複数の突起１５８がゲート１５４の第２側面すなわち右側面に設けられている。突起１５８の縦の間隔は、フレーム１５２の前壁１６４の突起スロット１６０の縦の間隔と一致する。図１５は閉鎖及びロック位置にある状態のハンドル１５０を示す。この状態で、コード１４０はハンドル１５０に確実に取り付けることができる。閉鎖及びロック位置で、ゲートは閉じた状態が保持される。ゲートの左側は、ゲートのヒンジタブ１５６を通って延びるピン１６２を介してフレームに保持されている。ゲートの右側は、フレームの前壁１６４の後方に位置している突起１５８を介してフレームと係合し保持されている。
【００１９】
コードからハンドル１５０を取り外す場合、図１６に示すように、ゲートはまず上方に押し出される。これにより突起１５８と突起スロット１６０が整列する。図１７及び図１８に示すように、その後ゲート１５４は、引っ張られ開放される。ゲート１５４が開いた状態で、コードの取外しや交換ができる。図１５から図１８は１本のコードチャネルを有するハンドルを示しているが、複数のコードチャネルも枢動可能なゲートを備えるハンドルで使用することができる。
【００２０】
上述の各構造において、コードチャネルの最小の直径（すなわち特徴的な最大寸法）は、コードの直径よりも大きい。これにより、コードやハンドルフレームが変形または圧迫することなくコードをチャネルの中に配置することが可能になる。ハンドルフレームに形成されるチャネルは通常は、半円形でおよそ１８０度またはそれより小さい角度をなす。ゲートの底面の溝９２は、使用される場合は、通常は半円形状で、１２０度あるいはそれより小さい角度をなす。
【００２１】
図２０から２２は、同様にピン１６２を介してハンドルフレーム１８２に取り付けられた、枢動するゲート１８８を備える別のハンドル１８０を示す。スライドロック１８４はフレーム１８２のロックスロット１８６内で上下に可動する。この構造において、図２０に示す閉鎖及びロック位置の時は、スライドロックは突起１５８の前方にあるため、ゲートが開くのを防いでいる。図２１はスライドロックが押し上げられ、ロック解除された位置を示している。この場合、スライドロック１８４の切り抜き部分がフレーム１８２の前壁１６４の突起スロット１６０と整列する。それによりゲート１８８は、図２２に示すように旋回して開くことができるようになる。図１５から図１９に示すハンドル１５０と異なり、図２０から図２２に示すハンドル１８０では、ゲート１８８の縦の位置が固定されているため、ゲート１８８は縦方向に動いて上方位置に移動することはない。
【００２２】
図２３及び図２４は、図９から図１２に示すハンドルフレーム１２０と同様の構造２００を示す。しかしながら、ハンドル２００のフレーム２０２は、コードを保持するための円筒状の開口部２０４、すなわち円筒状の側壁を有し、フレームの底壁にコード除去開口部２０８を有する。コード１４０は円錐状に先細りしたプラグまたは球状のプラグを有することができる。
【００２３】
ハンドル２００は、球状のプラグを持つコードを用いる際に使用されるのが好ましいだろう。図２５は、図２３で示すハンドル２つからなる弾性コードトレーニングシステム及び両端がハンドルに固定された１本の弾性コードを示す。１本または複数の弾性コードを使い、上述のその他のハンドルを用いて、同様のシステムが構成されてよい。
【００２４】
図２６及び図２７は上述のハンドルを用いて使用することができる様々なコード構造を示す。図２６に示すように、弾性コード材の直径と壁厚は、コードのバネ定数あるいは抵抗を変えるために多様であってよい。異なるプラグ構造も使用可能である。図２６において、円錐状プラグを有する太いコード２２０が第１、すなわち最上部のコード位置にある。直径がより小さく、より細い壁厚になっていてよいコード２２４には、小さめ直径の円錐状プラグが用いられ、第２すなわち真ん中のコード位置にある。同じコード２２４がボール型すなわち球状のプラグを使用し、第３のコード位置に置かれている。通常は、１対のハンドルには１本または複数の同じ種類のコード及びプラグが接続される。図２６は、説明のために異なるコードとプラグの組み合わせを示している。プラグはコードの中に挿入されるので見えない。図２６はプラグが取り付けられたコードの外形を示している。ハンドルにはもちろん、単に端を結んだだけのコードを含む、その他のプラグまたは端部取付け構造を備えた別のタイプのコードを使用してよい。
【００２５】
図２６及び図２７に示すように、直径の大きいプラグ２２２は仕切り板５８から突き出し、コードの端がゲート２４から突き出てしまう。より小さい直径のプラグ２２６が、実質的に仕切り板の中に、又は仕切り板の間に完全に収まることができる。ボールプラグ２２８は仕切り板の中に納まる。
【図１】
2015519113.tif 000003
【図２】
2015519113.tif 000004
【図３】
2015519113.tif 000005
【図４】
2015519113.tif 000006
【図５】
2015519113.tif 000007
【図６】
2015519113.tif 000008
【図７】
2015519113.tif 000009
【図８】
2015519113.tif 000010
【図９】
2015519113.tif 000011
【図１０】
2015519113.tif 000012
【図１１】
2015519113.tif 000013
【図１２】
2015519113.tif 000014
【図１３】
2015519113.tif 000015
【図１４】
2015519113.tif 000016
【図１５】
2015519113.tif 000017
【図１６】
2015519113.tif 000018
【図１７】
2015519113.tif 000019
【図１８】
2015519113.tif 000020
【図１９】
2015519113.tif 000021
【図２０】
2015519113.tif 000022
【図２１】
2015519113.tif 000023
【図２２】
2015519113.tif 000024
【図２３】
2015519113.tif 000025
【図２４】
2015519113.tif 000026
【図２５】
2015519113.tif 000027
【図２６】
2015519113.tif 000028
【図２７】
2015519113.tif 000029
【国際調査報告】
2015519113.tif 000030